(57)【要約】      （修正有）【課題】夜間でも見える腕章を提供する。【解決手段】上腕部に取り付けて用いる腕章において、腕章の表面に透明素材を用いて袋部を周設し、かつ、腕章の内側の任意箇所に、発光源収納ポケットを設け、併せて、乾電池とインバータとスイッチ部とを一体的に形成して発光源本体を成型すると共に、更に、前記発光源本体を、前記発光源収納ポケット内に収納し、併せて、前記袋部に、文字や絵、記号などを表示したＥＬ加工板を収納し、更に、前記ＥＬ加工板と、前記発光源本体とを、配線接続したことを特徴とするＥＬ発光腕章。【選択図】図１
2005134856.tif 000002
【特許請求の範囲】
【請求項１】
上腕部に取り付けて用いる腕章において、腕章の表面に透明素材を用いて袋部（１）を周設し、かつ、腕章の内側の任意箇所に、発光源収納ポケット（２）を設け、併せて、乾電池（３）とインバータ（４）とスイッチ部（５）とを一体的に形成して発光源本体（６）を成型すると共に、更に、前記発光源本体（６）を、前記発光源収納ポケット（２）内に収納し、併せて、前記袋部（１）に、文字や絵、記号、イラストなどを表示したＥＬ加工板（７）を収納し、同時に、前記ＥＬ加工板（７）と、前記発光源本体（６）とを、配線（８）接続したことを特徴とするＥＬ発光腕章。
【発明の詳細な説明】
【技術分野】
【０００１】  本発明は、腕章で表示する文字・絵・記号、イラストなどを、夜間でも理解できるようにＥＬ加工板を用いて発光させることのできるＥＬ発光腕章に関する。
【背景技術】
【０００２】  これまで腕章は、各種なものが使用されてきた。元来、腕章は自己が今現在、どのような役割を担当しているかということを、周りの第三者に知らせるために、その役割を、文字・絵・記号、イラストなどを用いて腕章に表示し、それを上腕に取り付けて使用するものである。しかし、従来の腕章には重大な欠陥があった。それは、夜間になると殆ど見えなくなることから、腕章を付ける本来の目的である、自己の役割を周りの第三者に知らせることができず、夜間には、腕章の役割を果たさなくなるという問題を有していた。
【発明の開示】
【発明が解決しようとする課題】
【０００３】  腕章の役割は、従来の技術で述べたように、それを取り付ける時点において、自己の担当している役割を、周りの第三者に知らせるために用いるものであるが、夜間には、その腕章が見えなくなって、腕章の役割を果たせなくなっていた。しかし、腕章をつけてする仕事や作業は、必ずしも日中ばかりにあるわけではなく、火災予防の夜回りの巡回活動や、飲食店街などの夜間駐車違反取り締まり、風俗繁華街での夜間防犯取り締まりや、未成年者夜間巡回指導活動など、腕章をつけて果たす役割は、むしろ、夜間の方が多いのが現状である。しかるにその腕章が夜間のために、周りの第三者に見えにくいということは、殆どその役割を果たしていないことになる。本発明は、従来技術の上記課題の解消を図るために開発したものであり、ＥＬ（エレクトロルミネッセンスともいう）を用いて発光し、夜間でも自己の役割を、周りの第三者に知らせることのできる、ＥＬ発光腕章を提供しようとするものである。
【課題を解決するための手段】
【０００４】  上記目的を達成するために、本発明におけるＥＬ発光腕章は、次のような構成としている。
【請求項１】
上腕部に取り付けて用いる腕章において、腕章の表面に透明素材を用いて袋部１を周設し、かつ、腕章の内側の任意箇所に、発光源収納ポケット２を設け、併せて、乾電池３とインバータ４とスイッチ部５とを一体的に形成して発光源本体６を成型すると共に、更に、前記発光源本体６を、前記発光源収納ポケット２内に収納し、併せて、前記袋部１に、腕章に表示する文字や絵、記号、イラストなどを表示したＥＬ加工板７を収納し、同時に、前記ＥＬ加工板７と、前記発光源本体６とを、配線８接続している。また、腕に腕章を止めるために、腕章の表裏の適所に面ファスナー９、９と、腕章の裏面の適所に安全ピン１０を設けている。
【発明の効果】
【０００５】    本発明は上記のとおり構成されているので、次に記載する効果を奏する。
１  従来の腕章は、夜間は見えにくいものになっていたが、本腕章は、腕章に表示する文字・絵・記号などを、夜間でもはっきりと理解できるようにＥＬ加工板７を用いて点灯発光させることができる。
２．本腕章は、表示する文字・絵・アニメ・記号・イラストなどを、夜間・昼間を問わず点灯発光できるばかりでなく、本腕章は、表示する文字・絵・アニメ・記号などをより強く印象づけれるように、点滅点灯発光もできる。
３．火の用心を訴える巡回活動、夜間の防犯を訴える巡回活動、夜間の駐車違反など夜間交通の取り締まる活動などには、活動目的がハッキリ表示できるので、夜間の取り締まり巡回活動には無くてはならない腕章になっている。
４．電源が乾電池であっても、発光体がＥＬであり、消費電流が極めて少なく電源が長持ちするので、ランニングコストも少なく、使用上大変取り扱いしやすいものになっている。
【発明を実施するための最良の形態】
【０００６】  本発明の実施例について図面を参照に説明する。
図１〜図４は本発明の一実施例に関するものである。図１は、本発明の一実施例の斜視図、図２は、腕章を平らに伸ばしたときの正面図、図３は、腕章を平らに伸ばしたときの裏面図、図４は、本発明の電気回路図である。図５は、発光源本体６の斜視図である。
本発明は、図１、図２、図３、図４、図５に示すように、上腕部に取り付けて用いる腕章において、まず、腕章の表面に透明素材を用いて袋部１を周設してある。そればかりか腕章の内側の任意箇所に、発光源収納ポケット２を設けてある。併せて、乾電池３とインバータ４とスイッチ部５とを一体的に形成して発光源本体６を成型している。更に、この発光源本体６を、前記発光源収納ポケット２内に収納してある。併せて、前記の袋部１に、文字や絵、記号などを表示したＥＬ加工板７を収納し、同時に、前記ＥＬ加工板７と、前記発光源本体６とを、配線８接続している。また、腕に腕章を簡単に止めれるように、腕章の表裏の適所に面ファスナー９、９と、腕章の裏面の適所に安全ピン１０を設けている。【０００７】  本発明は、上記のように構成しているので、次のように使用できる。
まず、ＥＬ板を加工して、例えば、「火の用心」、「駐車違反取締」、「防犯」、「未成年者補導」、「案内係」などの文字や、また、それらが明確に分かる絵やアニメ、イラストなどの表示をカット加工したＥＬ加工板７を作成する。このＥＬ加工板７を、腕章の表面に設けた袋部１の中に収納し、併せて、発光源体６も腕章の内面に設けた発光源収納ポケット２内に収納する。また、これらのＥＬ加工板７と発光源体６との間は配線８で接続する。従って、この腕章を腕に付け、光源収納ポケット２内の、発光源体６のスイッチ部５をＯＦＦからＯＮに切り替える操作をすると、腕章の袋部１の中のＥＬ加工板７が発光して、周囲の人達にＥＬ加工板７で表示したい文字や絵、アニメなどを知らせることができる。また、発光源体６のスイッチ部５をＯＦＦから、ＦＬＡＳＨに切り替えると、ＥＬ加工板７を点滅発光させて、腕章での表示内容を周囲の人達に、より注視させることができる。
以上のように本発明は、腕章の表示内容が周囲の者に夜間でも十分に分かる腕章にすることができる。
【産業上の利用可能性】
【０００８】  従来の腕章には、夜間に発光するものは見当たらなかった。そこで、本発明は従来の技術のかかる欠陥を完全に解決ができる腕章となるに違いない。しかし、腕章をつけてする仕事や作業は、必ずしも日中ばかりあるわけではなく、火災予防の夜回りの巡回活動や、飲食店街などの夜間駐車違反取り締まり、風俗繁華街での夜間防犯取り締まりや、未成年者夜間巡回指導活動など、腕章をつけて果たす役割は、むしろ、夜間の方が多いのが現状である。そういう意味では、本発明は腕章に革命を与えるもので、これからの腕章はＥＬ発光腕章が重宝されることは明白である。
【図面の簡単な説明】
【０００９】
【図１】  本発明の一実施例の斜視図である。
【図２】  腕章を平らに伸ばしたときの正面図である。
【図３】  腕章を平らに伸ばしたときの裏面図である。
【図４】  本発明の電気回路図である。
【図５】  発光源本体の斜視図である。
【符号の説明】
【００１０】  （１）    は  袋部
（２）    は  発光源収納ポケット
（３）    は  乾電池
（４）    は  インバータ
（５）    は  スイッチ部
（６）    は  発光源本体
（７）    は  ＥＬ加工板
（８）    は  配線
（９）    は  面ファスナー
（１０）  は  安全ピン
【図１】
2005134856.tif 000003
【図２】
2005134856.tif 000004
【図３】
2005134856.tif 000005
【図４】
2005134856.tif 000006
【図５】
2005134856.tif 000007